(57)【要約】【課題】カセッテに未送信の放射線画像データが存在する状態でコンソールの電源を停止することを防止して、放射線画像データの消失とその消失による被写体への本来不要な放射線の照射を削減し、効率的に撮影を行うことができる放射線画像撮影システムを提供することを目的とする。【解決手段】Ｘ線画像撮影システム１０００は、コンソール制御部１３がコンソール電源１７の停止前に前記コンソール電源１７の停止信号をカセッテ５に送信し、カセッテ制御部５３がコンソール電源１７の停止信号に基づいてカセッテ５からコンソール１に未送信の画像データが存在するか否かを判断し、カセッテ制御部５３がコンソール１に未送信の画像が存在しないと判断した場合のみ、コンソール電源１７を停止する。【選択図】図５
2006263320.tif 000002
【特許請求の範囲】
【請求項１】
放射線撮影により放射線画像データを得る放射線画像取得手段と、前記放射線画像取得手段により得た放射線画像データを記憶するメモリと、メモリに記憶された放射線画像データをコンソールと通信するカセッテ通信手段とを有するカセッテと、
前記カセッテと通信するコンソール通信手段と、前記コンソール通信手段に電力を供給する前記コンソール電力供給手段とを有する前記コンソールとを有し、
前記メモリに前記コンソールに送信していない放射線画像データが無くなってから、前記コンソール電力供給手段が電力の供給を止める放射線画像撮影システム。
【請求項２】
前記コンソールが、前記コンソール電力供給手段が電力の供給を止める指示を受けると、前記メモリに前記コンソールに送信していない放射線画像データの有無を確認する請求項１に記載の放射線画像撮影システム。
【請求項３】
前記コンソールが、前記コンソール通信手段と前記コンソール電力供給手段を制御するコンソール制御手段を有し、前記コンソール電力供給手段が電力の供給を止める指示を受けると、前記コンソール制御手段が、前記コンソール電力供給手段が電力の供給を止める前に、前記メモリに前記コンソールに送信していない放射線画像データの有無を確認する請求項２に記載の放射線画像撮影システム。
【請求項４】
前記コンソール制御手段が、前記コンソール電力供給手段が電力の供給を止める前に、前記コンソール通信手段にコンソール電源ＯＦＦ開始情報を前記カセッテに送信させるものであり、
前記カセッテ通信手段が前記コンソール電源ＯＦＦ開始情報を受信すると、前記カセッテ制御手段は、前記メモリに前記コンソールに送信していない放射線画像データの有無に関する未送信画像情報を前記カセッテ通信手段に送信させるものであり、
前記コンソール制御手段が、前記コンソール通信手段が受信した前記未送信画像情報に基づき、前記メモリに前記コンソールに送信していない放射線画像データの有無を確認するものである請求項３に記載の放射線画像撮影システム。
【請求項５】
前記コンソール制御手段が、放射線撮影に関する信号を受信または送信するものであり、かつ計数するものであり、前記コンソール通信手段が受信した放射線画像データを計数するものであり、
前記放射線撮影に関する信号の計数と、前記コンソール通信手段が受信した放射線画像データの計数を用いて、前記メモリに前記コンソールに送信していない放射線画像データの有無を確認するものである請求項３に記載の放射線画像撮影システム。
【請求項６】
前記カセッテ通信手段が、前記コンソールと無線通信を介して通信するものであり、
前記コンソール通信手段が、前記カセッテと無線通信を介して通信するものである請求項１から請求項５のいずれか一項に記載の放射線画像撮影システム。
【請求項７】
前記カセッテは、前記放射線画像取得手段と前記カセッテ通信手段と前記カセッテ制御手段に電力を供給する内部電源を有し、可搬型のケーブルレスであることを特徴とする請求項６に記載の放射線画像撮影システム。
【請求項８】
前記カセッテ通信部と無線通信可能な無線中継器を備え、
前記コンソール通信部が、通信ケーブルを介して前記無線中継器と通信可能である請求項６または請求項７に記載の放射線画像撮影システム。
【請求項９】
前記コンソールは、前記コンソール通信手段が前記無線中継器と無線通信を介して通信する携帯端末であることを特徴とする請求項８に記載の放射線画像撮影システム。
【請求項１０】
前記コンソール電力供給手段が電力の供給を停止する前に、前記カセッテの単位時間当たりの消費電力が撮影可能状態より低い状態になるように制御する請求項１から請求項９のいずれか一項に記載の放射線画像撮影システム。
【請求項１１】
コンソールであって、
放射線撮影により放射線画像データを得る放射線画像取得手段と、前記放射線画像取得手段により得た放射線画像データを記憶するメモリと、メモリに記憶された放射線画像データを前記コンソールと通信するカセッテ通信手段とを有するカセッテと通信するコンソール通信手段と、
前記コンソール通信手段に電力を供給する前記コンソール電力供給手段とを有し、
前記メモリに前記コンソールに送信していない放射線画像データが無くなってから、前記コンソール電力供給手段が電力の供給を止めることを特徴とするコンソール。
【請求項１２】
前記コンソール電力供給手段が電力の供給を止める指示を受けると、前記メモリに前記コンソールに送信していない放射線画像データの有無を確認することを特徴とする請求項１１に記載のコンソール。
【請求項１３】
前記コンソール通信手段と前記コンソール電力供給手段を制御するコンソール制御手段を有し、前記コンソール電力供給手段が電力の供給を止める指示を受けると、前記コンソール制御手段が、前記コンソール電力供給手段が電力の供給を止める前に、前記メモリに前記コンソールに送信していない放射線画像データの有無を確認することを特徴とする請求項１２に記載のコンソール。
【請求項１４】
前記カセッテ通信手段がコンソール電源ＯＦＦ開始情報を受信すると、前記カセッテ制御手段は、前記メモリに前記コンソールに送信していない放射線画像データの有無に関する未送信画像情報を前記カセッテ通信手段に送信させるものであり、
前記コンソール制御手段が、前記コンソール電力供給手段が電力の供給を止める前に、前記コンソール通信手段に前記コンソール電源ＯＦＦ開始情報を前記カセッテに送信させ、前記コンソール通信手段が受信した前記未送信画像情報に基づき、前記メモリに前記コンソールに送信していない放射線画像データの有無を確認することを特徴とする請求項１３に記載のコンソール。
【請求項１５】
前記コンソール制御手段が、放射線撮影に関する信号を受信または送信するものであり、かつ前記放射線撮影に関する信号の受信又は送信を計数し、前記コンソール通信手段が受信した放射線画像データを計数して、これらを用いて、前記メモリに前記コンソールに送信していない放射線画像データの有無を確認することを特徴とする請求項１３に記載のコンソール。
【請求項１６】
前記カセッテ通信手段が、前記コンソールと無線通信を介して通信するものであり、
前記コンソール通信手段が、前記カセッテと無線通信を介して通信することを特徴とする請求項１１から請求項１５のいずれか一項に記載のコンソール。
【請求項１７】
前記カセッテ通信部と無線通信可能な無線中継器を備え、
前記コンソール通信部が、通信ケーブルを介して前記無線中継器と通信可能であることを特徴とする請求項１６に記載のコンソール。
【請求項１８】
前記コンソール通信手段が前記無線中継器と無線通信を介して通信する携帯端末であることを特徴とする請求項１７に記載のコンソール。
【請求項１９】
前記コンソール電力供給手段が電力の供給を停止する前に、前記カセッテの単位時間当たりの消費電力が撮影可能状態より低い状態になるように制御する請求項１から請求項９のいずれか一項に記載のコンソール。
【請求項２０】
コンソールであって、
放射線撮影により放射線画像データを得る放射線画像取得手段と、前記放射線画像取得手段により得た放射線画像データを記憶するメモリと、メモリに記憶された放射線画像データを前記コンソールと通信するカセッテ通信手段とを有するカセッテと通信するコンソール通信手段と、
前記コンソール通信手段に電力を供給する前記コンソール電力供給手段とを有するコンソールのコンピュータに、
前記メモリに前記コンソールに送信していない放射線画像データが無くなったか否かを確認する残データ確認ステップと、
前記メモリに前記コンソールに送信していない放射線画像データが無くなったと確認してから、前記コンソール電力供給手段が電力の供給を止めるように制御する電力停止ステップとを実現するためのプログラム。
【請求項２１】
前記コンソール電力供給手段が電力の供給を止める指示を受けると、前記残データ確認ステップを開始することを特徴とする請求項２０に記載のプログラム。
【発明の詳細な説明】
【技術分野】
【０００１】
本発明は、放射線画像撮影システム、コンソール、コンソールで実行されるプログラムに係り、内部電源を備えたカセッテを備えた放射線画像撮影システムに関する。
【背景技術】
【０００２】
従来より、医療診断には、Ｘ線画像に代表される放射線画像が広く用いられている。放射線画像とは、被写体にＸ線等の放射線を照射し、この被写体を透過した放射線の強度分布を検出することによって得られる画像のことである。
【０００３】
この放射線画像を得るために、ＣＲ（Computed Radiography）やフィルムを用いた撮影装置が知られている。しかし、ＣＲを用いた放射線画像撮影システムは、放射線を照射してから撮影した画像を確認するまでに数十秒から数分という長時間を要するため、撮影した画像の不良を確認したときには、撮影室外にいる被写体を呼び戻し、再撮影を行う必要が生ずるおそれがある。
【０００４】
このため、近年では、放射線画像を得るために、被写体を透過した放射線を検出して電気信号に変換し、放射線画像情報として蓄積するＦＰＤ（Flat Panel Detector）を用いた放射線画像撮影システムが提案されている。このＦＰＤを用いた放射線画像撮影システムは、放射線を照射してから撮影した画像を数秒という短時間で画像を確認することができる。
【０００５】
また、ＦＰＤを内蔵し、無線通信部と内部電源とが設けられたカセッテの技術が開示されている（例えば、特許文献１参照）。この配線がされていないカセッテは、コンソールと無線通信することやカセッテ内部の内部電源から電力を供給することが可能であり、また、カセッテの取り扱い性が高く、自由に運搬できる利点がある。
【０００６】
さらに、無線通信部と内部電源とが設けられたカセッテに無線モジュールまたはケーブルのいずれかと接続することのできるコネクタが設けられたカセッテの技術が開示されている（例えば、特許文献２参照）。これにより、操作者が無線モジュールと接続して取り扱い性の高い配線がされていない状態で放射線画像撮影を行うか、または、ケーブルと接続して蓄電容量を考慮することなく連続して多数の撮影を行うかを、選択できることができるようになっている。
【特許文献１】特開２００４−１８０９３１号公報
【特許文献２】特開２００４−１７３９０７号公報
【発明の開示】
【発明が解決しようとする課題】
【０００７】
しかしながら、特許文献１及び特許文献２に記載されている技術は、コンソール電源の停止動作がそのコンソールに対応するカセッテの動作と連携していないため、停止したコンソール電源に対応するカセッテに、画像の取得後コンソールに未送信の放射線画像データが存在する可能性があるという問題を有している。カセッテに未送信の放射線画像データが存在している一方でコンソール電源が停止すると、カセッテからコンソールに放射線画像データを送信できないので、その画像データが未確認の状態で長時間放置されたり、また、長時間放置されている間にメモリに記憶されている放射線画像データが消失するリスクが生じる問題がある。
【０００８】
そこで、本発明は、以上のような課題を解決するためになされたものであり、カセッテに未送信の放射線画像データが存在する状態でコンソールの電源を停止する事態の発生を抑えて、放射線画像データの消失のリスクを低減し、その消失による被写体への本来不要な再撮影を削減することを目的とする。
【課題を解決するための手段】
【０００９】
請求項１に記載の発明は、
放射線撮影により放射線画像データを得る放射線画像取得手段と、前記放射線画像取得手段により得た放射線画像データを記憶するメモリと、メモリに記憶された放射線画像データをコンソールと通信するカセッテ通信手段とを有するカセッテと、
前記カセッテと通信するコンソール通信手段と、前記コンソール通信手段に電力を供給する前記コンソール電力供給手段とを有する前記コンソールとを有し、
前記メモリに前記コンソールに送信していない放射線画像データが無くなってから、前記コンソール電力供給手段が電力の供給を止める放射線画像撮影システムである。
【００１０】
請求項２に記載の発明は、請求項１に記載の放射線画像撮影システムにおいて、前記コンソールが、前記コンソール電力供給手段が電力の供給を止める指示を受けると、前記メモリに前記コンソールに送信していない放射線画像データの有無を確認することを特徴としている。
【００１１】
請求項３に記載の発明は、請求項２に記載の放射線画像撮影システムにおいて、前記コンソールが、前記コンソール通信手段と前記コンソール電力供給手段を制御するコンソール制御手段を有し、前記コンソール電力供給手段が電力の供給を止める指示を受けると、前記コンソール制御手段が、前記コンソール電力供給手段が電力の供給を止める前に、前記メモリに前記コンソールに送信していない放射線画像データの有無を確認することを特徴としている。
【００１２】
請求項４に記載の発明は、請求項３に記載の放射線画像撮影システムにおいて、
前記コンソール制御手段が、前記コンソール電力供給手段が電力の供給を止める前に、前記コンソール通信手段にコンソール電源ＯＦＦ開始情報を前記カセッテに送信させるものであり、
前記カセッテ通信手段が前記コンソール電源ＯＦＦ開始情報を受信すると、前記カセッテ制御手段は、前記メモリに前記コンソールに送信していない放射線画像データの有無に関する未送信画像情報を前記カセッテ通信手段に送信させるものであり、
前記コンソール制御手段が、前記コンソール通信手段が受信した前記未送信画像情報に基づき、前記メモリに前記コンソールに送信していない放射線画像データの有無を確認するものであることを特徴としている。
【００１３】
請求項５に記載の発明は、請求項３に記載の放射線画像撮影システムにおいて、
前記コンソール制御手段が、放射線撮影に関する信号を受信または送信するものであり、かつ計数するものであり、前記コンソール通信手段が受信した放射線画像データを計数するものであり、
前記放射線撮影に関する信号の計数と、前記コンソール通信手段が受信した放射線画像データの計数を用いて、前記メモリに前記コンソールに送信していない放射線画像データの有無を確認するものであることを特徴としている。
【００１４】
請求項６に記載の発明は、請求項１から請求項５のいずれか一項に記載の放射線画像撮影システムにおいて、
前記カセッテ通信手段が、前記コンソールと無線通信を介して通信するものであり、
前記コンソール通信手段が、前記カセッテと無線通信を介して通信するものであることを特徴としている。
【００１５】
請求項７に記載の発明は、請求項６に記載の放射線画像撮影システムにおいて、
前記カセッテは、前記放射線画像取得手段と前記カセッテ通信手段と前記カセッテ制御手段に電力を供給する内部電源を有し、可搬型のケーブルレスであることを特徴としている。
【００１６】
請求項８に記載の発明は、請求項６または請求項７に記載の放射線画像撮影システムにおいて、
前記カセッテ通信部と無線通信可能な無線中継器を備え、
前記コンソール通信部が、通信ケーブルを介して前記無線中継器と通信可能であることを特徴としている。
【００１７】
請求項９に記載の発明は、請求項８に記載の放射線画像撮影システムにおいて、前記コンソールは、前記コンソール通信手段が前記無線中継器と無線通信を介して通信する携帯端末であることを特徴としている。
【００１８】
請求項１０に記載の発明は、請求項１から請求項９のいずれか一項に記載の放射線画像撮影システムにおいて、
前記コンソール電力供給手段が電力の供給を停止する前に、前記カセッテの単位時間当たりの消費電力が撮影可能状態より低い状態になるように制御することを特徴としている。
【００１９】
請求項１１に記載の発明は、
コンソールであって、
放射線撮影により放射線画像データを得る放射線画像取得手段と、前記放射線画像取得手段により得た放射線画像データを記憶するメモリと、メモリに記憶された放射線画像データを前記コンソールと通信するカセッテ通信手段とを有するカセッテと通信するコンソール通信手段と、
前記コンソール通信手段に電力を供給する前記コンソール電力供給手段とを有し、
前記メモリに前記コンソールに送信していない放射線画像データが無くなってから、前記コンソール電力供給手段が電力の供給を止めることを特徴とするコンソールである。
【００２０】
請求項１２に記載の発明は、請求項１１に記載のコンソールにおいて、前記コンソール電力供給手段が電力の供給を止める指示を受けると、前記メモリに前記コンソールに送信していない放射線画像データの有無を確認することを特徴としている。
【００２１】
請求項１３に記載の発明は、請求項１２に記載のコンソールにおいて、前記コンソール通信手段と前記コンソール電力供給手段を制御するコンソール制御手段を有し、前記コンソール電力供給手段が電力の供給を止める指示を受けると、前記コンソール制御手段が、前記コンソール電力供給手段が電力の供給を止める前に、前記メモリに前記コンソールに送信していない放射線画像データの有無を確認することを特徴としている。
【００２２】
請求項１４に記載の発明は、請求項１３に記載のコンソールにおいて、
前記カセッテ通信手段がコンソール電源ＯＦＦ開始情報を受信すると、前記カセッテ制御手段は、前記メモリに前記コンソールに送信していない放射線画像データの有無に関する未送信画像情報を前記カセッテ通信手段に送信させるものであり、
前記コンソール制御手段が、前記コンソール電力供給手段が電力の供給を止める前に、前記コンソール通信手段に前記コンソール電源ＯＦＦ開始情報を前記カセッテに送信させ、前記コンソール通信手段が受信した前記未送信画像情報に基づき、前記メモリに前記コンソールに送信していない放射線画像データの有無を確認することを特徴としている。
【００２３】
請求項１５に記載の発明は、請求項１３に記載のコンソールにおいて、前記コンソール制御手段が、放射線撮影に関する信号を受信または送信するものであり、かつ前記放射線撮影に関する信号の受信又は送信を計数し、前記コンソール通信手段が受信した放射線画像データを計数して、これらを用いて、前記メモリに前記コンソールに送信していない放射線画像データの有無を確認することを特徴としている。
【００２４】
請求項１６に記載の発明は、請求項１１から請求項１５のいずれか一項に記載のコンソールにおいて、
前記カセッテ通信手段が、前記コンソールと無線通信を介して通信するものであり、
前記コンソール通信手段が、前記カセッテと無線通信を介して通信することを特徴としている。
【００２５】
請求項１７に記載の発明は、請求項１６に記載のコンソールにおいて、
前記カセッテ通信部と無線通信可能な無線中継器を備え、
前記コンソール通信部が、通信ケーブルを介して前記無線中継器と通信可能であることを特徴としている。
【００２６】
請求項１８に記載の発明は、請求項１７に記載のコンソールにおいて、前記コンソール通信手段が前記無線中継器と無線通信を介して通信する携帯端末であることを特徴としている。
【００２７】
請求項１９に記載の発明は、請求項１から請求項９のいずれか一項に記載のコンソールにおいて、前記コンソール電力供給手段が電力の供給を停止する前に、前記カセッテの単位時間当たりの消費電力が撮影可能状態より低い状態になるように制御することを特徴としている。
【００２８】
請求項２０に記載の発明は、
コンソールであって、
放射線撮影により放射線画像データを得る放射線画像取得手段と、前記放射線画像取得手段により得た放射線画像データを記憶するメモリと、メモリに記憶された放射線画像データを前記コンソールと通信するカセッテ通信手段とを有するカセッテと通信するコンソール通信手段と、
前記コンソール通信手段に電力を供給する前記コンソール電力供給手段とを有するコンソールのコンピュータに、
前記メモリに前記コンソールに送信していない放射線画像データが無くなったか否かを確認する残データ確認ステップと、
前記メモリに前記コンソールに送信していない放射線画像データが無くなったと確認してから、前記コンソール電力供給手段が電力の供給を止めるように制御する電力停止ステップとを実現するためのプログラムである。
【００２９】
請求項２１に記載の発明は、請求項２０に記載のプログラムにおいて、前記コンソール電力供給手段が電力の供給を止める指示を受けると、前記残データ確認ステップを開始することを特徴としている。
【００３０】
以下、請求項に記載する用語について説明する。
放射線は、強い電離作用や蛍光作用を有する電磁波や粒子線のことで、Ｘ線、γ線、β線、α線、陽子線、重陽子線その他の重荷電粒子線及び中性子線が挙げられる。本発明においては、放射線として、電子線、Ｘ線、γ線が好ましく、特にＸ線が好ましい。
コンソールとは、操作者がカセッテと交信を行うための装置で、別体の表示装置や操作装置が接続可能であってもよいし、表示装置や操作装置が一体であってもよい。
カセッテは、電力を供給する内部電源を有する場合、電力の供給状態が異なる複数の電力供給の状態を有し、適切なタイミングでカセッテの電力供給の状態を変えることが好ましい。このような電力の供給状態としては、例えば、撮影可能状態と、撮影可能状態より電力消費の低い状態を有することが好ましく、特に、撮影可能状態より電力消費の低い状態として、１又は複数の撮影待機モード制御下の状態と、更に消費電力の低いスリープモード制御下の状態を有することが好ましい。
なお、撮影動作とは、放射線撮影により放射線画像データを得るのに必要な動作のことで、例えば、実施形態で示すパネルであれば、パネルの初期化、放射線照射によって生成された電気エネルギーの蓄積、電気信号の読み取り、及び、画像データ化の各動作が該当する。
そして、撮影可能状態とは、直ちにこの撮影動作により放射線画像データを得ることができる状態のことである。
【発明の効果】
【００３１】
請求項１、２、３、４、５、６、１１、１２、１３、１４、１５、１６、１９、２０、２１に記載の発明によれば、カセッテのメモリにコンソールに未送信の放射線画像データが残っている状態で、コンソール電力供給手段が電力の供給を停止してコンソール通信手段が停止し、その状態の間に、放射線画像データが消滅するリスクを抑えられ、この消滅による本来不要な再撮影を低減できる。
【００３２】
請求項７に記載の発明によれば、カセッテは、内部電源を備えた可搬型のケーブルレスであるので、カセッテの操作性が良く、撮影効率を向上させることができる。
【００３３】
カセッテは放射線遮蔽部材で覆われた放射線撮影室内に設置され、他方、コンソールは放射線撮影室外に設置される場合が多いが、請求項８、１７に記載の発明では、無線中継器を備えるとともにコンソール通信部が通信ケーブルを介してその無線中継器と通信可能であるから、当該無線中継器を放射線撮影室内に設置することで、カセッテ通信部と無線中継器との間で行われる無線通信を良好に行うことができる。
【００３４】
カセッテが放射線撮影室内で、コンソールが放射線撮影室外に設置される通常の場合においては、撮影者は、放射線撮影に際して放射線撮影室内で被写体に撮影位置等の指示を行い、その後放射線撮影室外に移動してその被写体の放射線撮影を開始させながら、放射線画像を確認したり放射線画像データに対する画像処理を開始させたりする。しかし、請求項９、１８に記載の発明では、コンソールが携帯端末であるから、放射線撮影室内で被写体に撮影位置等について指示しながら、当該コンソールで放射線画像を確認したり、放射線画像データの画像処理を開始させたりすることができる。そのため、放射線撮影、放射線画像の確認、画像処理のサイクルを繰り返す放射線撮影全体のトータルの撮影効率を向上させることができる。
【００３５】
請求項１０、１９に記載の発明によれば、カセッテの内部電源の無駄な電力消費を抑えることができ、いざ撮影する時に必要な電力が残っていない事態の発生を抑え、トータルとしての撮影効率を向上させることができる。
【発明を実施するための最良の形態】
【００３６】
以下、図面を参照しながら本発明の実施形態について説明する。
発明の実施の形態欄の記載は、発明を実施するために発明者が最良と認識している形態を示すものであり、発明の範囲や、特許請求の範囲に用いられている用語を一見、断定又は定義するような表現もあるが、これらは、あくまで、発明者が最良と認識している形態を特定するための表現であり、発明の範囲や、特許請求の範囲に用いられている用語を特定又は限定するものではない。
【００３７】
［第一の実施形態］
図１〜図５を参照しながら本発明に係るＸ線画像撮影システムの第一の実施形態について説明する。なお、Ｘ線は放射線の一種である。
【００３８】
図１に示すように、第一の実施形態に係るＸ線画像撮影システム１０００は、病院内で行われるＸ線画像撮影を想定したシステムであり、例えば、被写体にＸ線を照射するＸ線撮影室Ｒ１と、Ｘ線技師が被写体に照射するＸ線の制御や、Ｘ線を照射して取得したＸ線画像の画像処理等を行うＸ線制御室Ｒ２とに配置されるものである。
【００３９】
Ｘ線制御室Ｒ２には、コンソール１が設けられている。このコンソール１によってＸ線画像撮影システム全体が制御され、Ｘ線画像撮影の制御や取得したＸ線画像の画像処理が行われる。また、コンソール１は、携帯端末であってもよい。
コンソール１には、操作者が撮影準備指示や撮影指示、指示内容を入力する操作入力部２が接続されている。操作入力部２としては、例えば、Ｘ線照射要求スイッチやタッチパネル、マウス、キーボード、ジョイスティック等を用いることが可能であり、操作入力部２を介して、Ｘ線管電圧やＸ線管電流、Ｘ線照射時間等のＸ線撮影条件、撮影タイミング、撮影部位、撮影方法等のＸ線撮影制御条件、画像処理条件、画像出力条件、カセッテ選択情報、オーダ選択情報、被写体ＩＤ等の指示内容が入力される。
さらに、コンソール１には、Ｘ線画像などを表示する表示部３が接続されており、コンソール１を構成している表示制御部１１により表示が制御される。表示部３としては、例えば、液晶モニタ、ＣＲＴ（Cathode Ray Tube）モニタ等のモニタ、電子ペーパ、電子フィルム等を用いることができる。表示部３には、Ｘ線撮影条件や画像処理条件等の文字及びＸ線画像を表示する。
【００４０】
また、コンソール１は、表示制御部１１、入力部１２、コンソール制御部１３、コンソール通信部１４、画像処理部１５、画像保存部１６、コンソール電源部１７、ネットワーク通信部１８等を備えている。表示制御部１１、入力部１２、コンソール制御部１３、コンソール通信部１４、画像処理部１５、画像保存部１６、コンソール電源部１７、ネットワーク通信部１８は、それぞれバスに接続しており、データ交換可能である。
【００４１】
入力部１２は、操作入力部２からの指示内容を受信する。
【００４２】
コンソール制御部１３は、入力部１２が受信した指示内容やＨＩＳ／ＲＩＳ７１のオーダ情報に基づいて撮影条件を決定し、コンソール通信部１４を介してＸ線源４とカセッテ５とに撮影条件に関する撮影条件情報を送信し、Ｘ線源４とカセッテ５とを制御してＸ線画像撮影をする。また、コンソール制御部１３は、カセッテ５からコンソール通信部１４が受信したＸ線画像データを画像保存部１６に一時保存させる。また、コンソール制御部１３は、画像処理部１５が画像保存部１６に一時保存したＸ線画像データからサムネイル画像データを作成するようにさせる。表示制御部１１は、作成されたサムネイル画像データに基づいて、表示部３がサムネイル画像を表示するように制御する。そして、コンソール制御部１３は、入力部１２が受信した指示内容やＨＩＳ／ＲＩＳ７１のオーダ情報に基づいた画像処理を画像処理部１５がＸ線画像データに行い、この画像処理をされたＸ線画像データを画像保存部１６が保存するように制御する。そして、画像処理部１５が画像処理した結果のＸ線画像データに基づいて、処理結果のサムネイル画像を表示部３が表示するように、表示制御部１１を制御する。更に、コンソール制御部１３は、その後に入力部１２が操作入力部２から受信した指示内容に基づいて、Ｘ線画像データの再画像処理やその画像処理結果の表示をしたり、又、Ｘ線画像データをネットワーク上の外部装置に転送、保存、表示する。
コンソール制御部１３としては、ＣＰＵ（Central Processing Unit）及びＲＡＭ（Random Access Memory）やＲＯＭ（Read Only Memory）等のメモリが搭載されているマザーボードを適用することが可能である。
ＣＰＵは、ＲＯＭまたはハードディスクに記憶されているプログラムを読み出し、ＲＡＭ上にプログラムを展開し、展開したプログラムに従ってコンソール１の各部、Ｘ線源４、カセッテ５、外部装置を制御する。また、ＣＰＵは、ＲＯＭまたはハードディスクに記憶されているシステムプログラムをはじめとする各種処理プログラムを読み出してＲＡＭ上に展開し、後述する各種処理を実行する。
ＲＡＭは、揮発性のメモリであり、コンソール制御部１３のＣＰＵにより実行制御される各種処理において、ＲＯＭから読み出されてＣＰＵで実行可能な各種プログラム、入力もしくは出力データ等を一時的に記憶するワークエリアを形成する。
ＲＯＭは、例えば、不揮発性のメモリであり、ＣＰＵで実行されるシステムプログラム、システムプログラムに対応する各種プログラムなどを記憶する。これらの各種プログラムは、読取可能なプログラムコードの形態で格納され、ＣＰＵは、当該プログラムコードに従った動作を逐次実行する。
また、ＲＯＭの代わりにハードディスクを用いてもよい。この場合、ハードディスクは、ＣＰＵで実行されるシステムプログラムと各種アプリケーションプログラムを記憶する。また、ハードディスクは、その一部もしくは全部をサーバ等の他の機器からネットワーク回線の伝送媒体を介してコンソール通信部１４から、本発明のプログラムなどの各種アプリケーションプログラムを受信して記憶するようにしてもよい。更に、ＣＰＵは、ネットワーク上に設けられたサーバのハードディスクなどの記憶装置から本発明のプログラム等の各種アプリケーションプログラムを受信し、ＲＡＭ上に展開して、本発明の処理などの各種処理をするようにしてもよい。
【００４３】
表示制御部１１は、コンソール制御部１３の制御に基づいて、画像データや文字データなどに基づいて、表示部３が画像や文字などを表示するように制御する。表示制御部１１には、グラフィックボード等を用いることができる。
コンソール通信部１４は、Ｘ線源４及び無線中継器６にそれぞれ通信ケーブルを介して接続されており、コンソール通信部１４が無線中継器６を介してカセッテ５と通信可能である。コンソール通信部１４は、指示内容に基づいた制御信号をアナログ通信又はデジタル通信によりＸ線源４及びカセッテ５に送信可能である一方、カセッテ５からのＸ線画像データを受信可能である。
コンソール通信部１４とＸ線源４及び無線中継器６を接続している通信ケーブルは、着脱可能である。通信ケーブルが接続されているときは、画像転送が高速に行えるのでＸ線撮影によるＸ線画像取得、Ｘ線画像処理、Ｘ線画像確認等をより短時間で行うことが可能である。
【００４４】
画像処理部１５は、コンソール通信部１４がカセッテ５から受信したＸ線画像データを画像処理する。画像処理部１５では、指示内容に基づいて画像データの補正処理、拡大圧縮処理、空間フィルタリング処理、リカーシブ処理、階調処理、散乱線補正処理、グリッド補正処理、周波数強調処理、ダイナミックレンジ（ＤＲ）圧縮処理等の画像処理が行われる。
【００４５】
画像保存部１６は、コンソール通信部１４がカセッテ５から受信したＸ線画像データの一時保存や、画像処理されたＸ線画像データの保存を行う。画像保存部１６としては、大容量かつ高速の記憶装置であるハードディスク、ＲＡＩＤ（Redundant Array of Independent Disks）等のハードディスクアレー、シリコンディスク等を用いることが可能である。
【００４６】
コンソール電源部１７は、ＡＣ電源等の外部電源（図示せず）、又は、バッテリー、電池等の内部電源（図示せず）から電力を供給されており、コンソール１を構成する各部に電力を供給している。
コンソール電源部１７の外部電源は、着脱可能である。コンソール電源部１７が外部電源より電力を供給されるときは、充電の必要がないため長時間撮影を行うことが可能である。
【００４７】
ネットワーク通信部１８は、ＬＡＮ（Local Area Network）によりコンソール１と外部装置との間で各種情報の通信を行うものである。外部装置としては、例えば、ＨＩＳ／ＲＩＳ（Hospital Information System／Radiology Information System：病院内情報システム／放射線科情報システム）端末７１、イメージャ７２、画像処理装置７３、ビューワ７４、ファイルサーバ７５等を接続することが可能である。ネットワーク通信部１８は、ＤＩＣＯＭ（Digital Imaging and Communications in Medicine）等所定のプロトコルに従ってＸ線画像データを外部装置に出力する。
ＨＩＳ／ＲＩＳ端末７１は、ＨＩＳ／ＲＩＳから、被写体の情報や撮影部位及び撮影方法などを取得し、コンソール１に提供する。イメージャ７２は、コンソール１から出力されたＸ線画像データに基づいてＸ線画像をフィルムなどの画像記録媒体に記録する。画像処理装置７３は、コンソール１から出力されたＸ線画像データの画像処理やＣＡＤ（Computer Aided Diagnosis：コンピュータ診断支援）のための処理をして、ファイルサーバ７５に保存する。ビューワ７４は、コンソール１から出力されたＸ線画像データに基づいてＸ線画像を表示する。ファイルサーバ７５は、処理画像処理されたＸ線画像データを保存するファイルサーバである。ネットワーク通信部１８は、ＤＩＣＯＭ（Digital Imaging and Communications in Medicine）等所定のプロトコルに従ってＸ線画像データを外部装置に出力する。
なお、本実施形態では、表示制御部１１とコンソール制御部１３とが別体に設けられた例であるが、表示制御部とコンソール制御部とが一体であってもよい。例えば、コンソール制御部としてＣＰＵ及びメモリが搭載されているマザーボードを用い、表示制御部としてこのマザーボードに内蔵されたグラフィックサブシステムを用いることが挙げられる。また、コンソール制御部１３が表示制御部を兼ねても良い。また、本実施形態では、画像処理部１５は、コンソール制御部１３と別体であるが、コンソール制御部１３が画像処理部を兼ねても良い。
【００４８】
Ｘ線撮影室Ｒ１には、被写体にＸ線を照射するＸ線源４と、被写体に照射されたＸ線を検出してＸ線画像データを取得するカセッテ５とが配置される。本実施形態において、Ｘ線撮影室Ｒ１はＸ線源４のＸ線が当該Ｘ線撮影室Ｒ１の外部に漏出しないようにＸ線遮蔽部材で覆われた室となっており、またカセッテ５は携帯可能なもので、Ｘ線撮影室Ｒ１の外部にも持ち出せるようになっている。
さらに、Ｘ線撮影室Ｒ１には、無線中継器６が設置されている。無線中継器６は、カセッテ５との間で無線通信をする。そのため、カセッテ５と無線中継器６との間の通信においては、通信用のケーブルが不要であり、Ｘ線撮影時において当該ケーブルが被写体に絡みつかないように注意を払いながらカセッテ５を取り扱うといった事態を回避することができる。
また、コンソール１とは通信ケーブルを介して通信する。そして、無線中継器６を介して、カセッテ５が取得した画像データがコンソール１に送信され、又、コンソール１とカセッテ５の間で、制御信号や各種情報が通信される。
このように、本実施形態では、Ｘ線撮影室Ｒ１の内部にカセッテ５と無線中継器６とが、その外部（Ｘ線制御室Ｒ２）にコンソール１が設置された構成となっており、カセッテ５と無線中継器６との通信はＸ線撮影室Ｒ１のＸ線遮蔽部材の影響を受けずにその内部で良好におこなうことができ、他方、無線中継器６とコンソール１との通信はＸ線撮影室Ｒ１の内外で良好におこなうことができるようになっている。
【００４９】
また、無線中継器６は、カセッテ５の充電器の機能と、カセッテ５の未使用時におけるホルダの機能とを具備している。
無線中継器６にはコネクタが備えられており、このコネクタとカセッテ５とが接続されるとカセッテ５の内部電源５１が充電される。このとき、無線中継器６は、カセッテ５の着脱が容易なように形成されていることが好ましい。また、本発明において、無線中継器６は、カセッテ５の充電器としての機能の他に、カセッテ５が未使用時におけるホルダとしての機能を有する。
【００５０】
なお、上記では、コンソール１はＸ線制御室Ｒ２に設置されている旨を記載したが、コンソール１は無線通信可能な携帯端末であってもよい。この場合、Ｘ線制御室Ｒ２にも無線中継器を設置し、コンソール通信部１４は、Ｘ線撮影室Ｒ１内の無線中継器６ともＸ線制御室Ｒ２内の無線中継器とも無線通信可能で、その結果、Ｘ線撮影室Ｒ１内でもＸ線制御室Ｒ２内でもカセッテ５と通信できることが好ましい。これにより、撮影者は、従来のようにＸ線制御室Ｒ２内だけでなく、Ｘ線撮影室Ｒ１内で撮影者に撮影位置等について指示をしながら当該コンソール１でＸ線画像を確認したり、Ｘ線画像データの画像処理を開始させたりすることができ、また、Ｘ線撮影室Ｒ１とＸ線制御室Ｒ２の間の移動時間でＸ線画像を確認したり、Ｘ線画像データの画像処理を開始させたりすることもでき、Ｘ線撮影からＸ線画像を確認するサイクルを繰り返すＸ線撮影全体のトータルの撮影効率を向上させることができる。
【００５１】
Ｘ線源４には、高圧電圧を発生する高圧発生源４１及び高圧発生源４１により高圧電圧が印加されるとＸ線を発生するＸ線管４２が配設されている。Ｘ線管４２のＸ線照射口には、Ｘ線照射範囲を調整するＸ線絞り装置（図示せず）が設けられている。Ｘ線絞り装置は、コンソールからの制御信号に従ってＸ線照射方向を制御するので、Ｘ線照射範囲が撮影領域に応じて調整される。さらに、Ｘ線源４には、Ｘ線源制御部４３が配設されており、高圧発生源４１及びＸ線管４２は、Ｘ線源制御部４３とそれぞれ接続されている。Ｘ線源制御部４３は、コンソール通信部１４から送信された制御信号に基づいて、Ｘ線源４の各部を駆動制御する。すなわち、高圧発生源４１、Ｘ線管４２を制御する。
【００５２】
カセッテ５には、Ｘ線源４から被写体を透過したＸ線が入射する。カセッテ５は、Ｘ線撮影前に、被写体の所望の位置にＸ線が透過するように操作者により位置を調整される。
カセッテ５には、内部電源５１、カセッテ通信部５２、カセッテ制御部５３、パネル５４が配設されている。内部電源５１、カセッテ通信部５２、カセッテ制御部５３、パネル５４は、それぞれカセッテ５内のバスに接続されている。
【００５３】
内部電源５１は、カセッテ５内に配設された各部に電力を供給する。内部電源５１には、充電可能でかつ撮影時に消費する電力に対応可能なコンデンサが設けられている。コンデンサとしては、電解二重層コンデンサを適用することが可能である。また、内部電源５１としては、電池交換が必要なマンガン電池、ニッケル・カドミウム電池、水銀電池、鉛電池などの一次電池や、充電可能な二次電池を適用することが可能である。
内部電源５１の容量は、撮影効率の観点から、最大サイズのＸ線画像を連続して撮影可能な枚数で換算して、４枚以上（特に７枚以上）であることが好ましい。
また、内部電源５１の容量は、小型化・軽量化・低コスト化の観点から、最大サイズのＸ線画像を連続して撮影可能な枚数で換算して、１００枚以下（特に５０枚以下）であることが好ましい。
【００５４】
カセッテ通信部５２は、無線中継器６を介してコンソール通信部１４と無線通信が可能なように構成されており、カセッテ通信部５２とコンソール通信部１４との間で信号を送受信したり、カセッテ通信部５２からコンソール通信部１４にＸ線画像データを送信したりすることが可能である。
【００５５】
カセッテ制御部５３は、カセッテ通信部５２が受信した制御信号に基づいて、カセッテ５に配設された各部を制御する。
【００５６】
パネル５４は、被写体を透過したＸ線に基づいてＸ線画像データを出力する。また、本実施形態のパネル５は、間接型フラットパネルディテクタ（FPD：Flat Panel Detector）である。
【００５７】
図２にカセッテ５の概略構成を示す斜視図を、図３にパネル５４を中心としたカセッテ５の断面図を示す。
なお、本実施形態では、図２及び図３に示した例を説明するが、これに限定されず、シンチレータの厚さや種類が異なるものや、撮像領域の面積であるパネルの面積が異なるものを用いることも適用可能である。シンチレータの厚さが厚いほど感度が高くなり、シンチレータの厚さが薄いほど空間分解能が高くなる。また、シンチレータの種類によって分光感度が異なる。
【００５８】
パネル５４には、被写体を透過したＸ線を検出し、検出したＸ線を可視領域の蛍光（以下「可視光」と称す）に変換するシンチレータ５４１が層状に設けられている。
シンチレータ５４１は、蛍光体を主たる成分としている。シンチレータ５４１は、照射されたＸ線により蛍光体の母体物質が励起（吸収）し、その再結合エネルギーにより可視光を発光する層である。この蛍光体としては、例えば、ＣａＷＯ４、ＣｄＷＯ４等の母体物質により蛍光を発光するものや、ＣｓＩ：Ｔｌ、ＺｎＳ：Ａｇ等の母体物質内に付加された発光中心物質により蛍光を発光するものなどが挙げられる。
【００５９】
シンチレータ５４１の上層には保護層が設けられていることが好ましい。保護層はシンチレータ５４１を保護するもので、シンチレータ５４１の上部および辺縁を完全に覆っている。保護層５４０としては、シンチレータ５４１の防湿保護の効果を有するものであればいずれの材料を用いてもよい。そして、シンチレータ５４１として、吸湿性を有する蛍光体（特に、アルカリハライド、更に、アルカリハライドからなる柱状結晶蛍光体）が用いられる場合、例えばＵＳＰ ６４６９３０５号において開示された、ＣＶＤ法によって形成されたポリパラキシリレン製有機膜や、ポリシラザン、ポリシロキサザンなどのシラザン又はシロキサザンタイプのポリマー化合物を含むポリマーから形成される有機膜や、プラズマ重合法によって形成された有機膜などの防湿性有機膜を用いることが好ましい。
【００６０】
シンチレータ５４１の下層には、アモルファスシリコンにより形成された光検出器５４２が積層して延在しており、この光検出器５４２によりシンチレータ５４１から発光する可視光が電気エネルギーに変換されて出力される。
そして、パネル５４は、Ｘ線画像による診断の診断性の観点から、１０００×１０００画素以上（特に２０００×２０００画素以上）の画素で構成されていることが好ましい。
また、パネル５４は、人の視認限界とＸ線画像の画像処理速度の観点から、１万×１万画素以下（特に６０００×６０００画素以下）の画素で構成されていることが好ましい。
また、パネル５４の撮影領域のサイズは、Ｘ線画像による診断の診断性の観点から、１０ｃｍ×１０ｃｍ以上（特に、２０ｃｍ×２０ｃｍ以上）の面積であることが好ましい。
また、パネル５４の撮影領域のサイズは、カセッテとしての取り扱いやすさの観点から、７０ｃｍ×７０ｃｍ以下（特に５０ｃｍ×５０ｃｍ以下）の面積が好ましい。
また、パネル５４の一画素のサイズは、Ｘ線被爆量低減の観点から４０μｍ×４０μｍ以上（特に７０μｍ×７０μｍ以上）のサイズが好ましい。
また、パネル５４の一画素のサイズは、Ｘ線画像による診断の診断性の観点から２００μｍ×２００μｍ以下（特に１６０μｍ×１６０μｍ以下）が好ましい。
本実施形態では、パネル５４が４０９６×３０７２の画素から構成されており、撮影領域の面積が４３０ｍｍ×３２０ｍｍであり、１画素のサイズが１０５μｍ×１０５μｍとなっている。
【００６１】
ここで、光検出器５４２を中心とした回路構成について説明する。
【００６２】
図４に示すように、光検出器５４２には、照射されたＸ線の強度に応じて蓄積された電気エネルギーを読み出すための収集電極５４２１が二次元配設されている。この収集電極５４２１には、コンデンサ５４２４の一方の電極とされて、電気エネルギーがコンデンサ５４２４に蓄えられるようになっている。ここで、１つの収集電極５４２１は、Ｘ線画像データの１画素に対応するものである。
【００６３】
互いに隣接する収集電極５４２１の間には、走査線５４２２と信号線５４２３とが配設されている。走査線５４２２と信号線５４２３とは、直交している。
【００６４】
コンデンサ５４２４には、電気エネルギーの蓄電及び読み取りを制御するスイッチング薄膜トランジスタ５４２５（ＴＦＴ：Thin Film Transistor、以下トランジスタと称す）が接続される。トランジスタ５４２５は、ドレイン電極あるいはソース電極が収集電極５４２１に接続されるとともに、ゲート電極は走査線５４２２に接続される。ドレイン電極が走査線５４２２に接続されるときには、ソース電極が信号線５４２３に接続され、ソース電極が収集電極５４２１に接続されるときには、ドレイン電極が信号線５４２３に接続される。また、パネル２１では、信号線５４２３に、例えばドレイン電極が接続された初期化用のトランジスタ５４２７が設けられている。このトランジスタ５４２７のソース電極は接地されている。また、ゲート電極はリセット線５４２６と接続される。
なお、トランジスタ５４２５とトランジスタ５４２７は、シリコン積層構造あるいは有機半導体で構成されていることが好ましい。
【００６５】
また、走査駆動回路５４３には、走査駆動回路５４３からリセット信号ＲＴが送信されるリセット線５４２６が、信号線５４２３と直交して接続されている。
リセット線５４２６には、リセット信号ＲＴによりオン状態となる初期化用トランジスタ５４２７のゲート電極が接続されている。初期化用トランジスタ５４２７は、ゲート電極がリセット線５４２６に接続されるとともに、ドレイン電極が信号線５４２３と接続され、ソース電極が接地されている。ソース電極が信号線５４２３に接続されるときには、ドレイン電極が接地されている。
走査駆動回路５４３からリセット信号ＲＴを供給して初期化用トランジスタ５４２７をオン状態とするとともに、走査駆動回路５４３から読み出し信号ＲＳを供給してトランジスタ５４２５をオン状態とすると、コンデンサ５４２４に蓄積された電気エネルギーがトランジスタ５４２５を介して光検出器５４２外に放出される。以下、リセット信号ＲＴが供給されてコンデンサ５４２４に蓄積された電気エネルギーが光検出器５４２外に放出されることを、光検出器５４２のリセット（初期化）と称する。
また、走査線５４２２には、走査線５４２２に読み出し信号ＲＳを供給する走査駆動回路５４３が接続されている。読み出し信号ＲＳが供給された走査線５４２２に接続されているトランジスタ５４２５は、オン状態となり、トランジスタ５４２５と接続するコンデンサ５４２４に蓄積された電気エネルギーを読み出して信号線５４２３に供給する。すなわち、トランジスタ５４２５を駆動することで、Ｘ線画像データの画素毎の信号を生成することができる。
【００６６】
信号線５４２３には、信号読取回路５４４が接続される。この信号読取回路５４４には、コンデンサ５４２４に蓄電されてから信号線５４２３に読み出された電気エネルギーが供給される。信号読取回路５４４には、信号読取回路５４４に供給された電気エネルギー量に比例する電圧信号ＳＶをＡ／Ｄ変換器５４４２に供給する信号変換器５４４１と、信号変換器５４４１からの電圧信号ＳＶをデジタル信号に変換してデータ変換部５４５に供給するＡ／Ｄ変換器５４４２とが設けられている。
【００６７】
信号読取回路５４４には、データ変換部５４５が接続されている。このデータ変換部５４５は、信号読取回路５４４から供給されたデジタル信号に基づいてＸ線画像データを生成する。
【００６８】
高分解能の画像データが必要でないときや画像データを速く取得したいときには、操作者が選択した撮影方法に応じて、コンソール制御部１３は、受信した間引き、画素平均、領域抽出などの制御信号がカセッテ制御部５３に送信する。カセッテ制御部５３は、受信した間引き、画素平均、領域抽出などの制御信号に応じて、以下の間引き、画素平均、領域抽出などを実行するように制御する。
間引きは、奇数列又は偶数列のみ読み出すことにより、読み出す画素数を全画素数の１／４に間引いたり、同様にして１／９、１／１６などに間引いたりすることにより行われる。なお、間引きの方法は、この方法に限られるものではない。
また、画素平均は、同時に複数の走査線５４２２を駆動し、同じ列方向の２画素のアナログ加算を行うことにより算出することが可能である。画素平均は、２画素の加算により算出することに限らず、列信号配線方向の複数画素のアナログ加算を行うことにより容易に得ることができる。更に、行方向の加算については、Ａ／Ｄ変換出力後に隣り合う画素をデジタル加算することにより、上述のアナログ加算と合わせて、２×２等の正方形画素の加算値を得ることができる。これらによって、照射されたＸ線を無駄にすることなく、高速にデータを読み出すことが可能である。
また、領域抽出は、画像データの取込領域を制限する手段がある。これは、撮影方法の指示内容などから必要な画像データの取得領域を特定し、この特定された取得領域に基づいてカセッテ制御部５３が走査駆動回路５４３のデータ取込範囲を変更し、この変更した取込範囲をパネル５４が駆動するものである。
【００６９】
データ変換部５４５には、メモリ５４６が接続されている。このメモリ５４６は、データ変換部５４５により生成されたＸ線画像データを保存する。また、メモリ５４６には、予めゲイン補正用データが保存される。
メモリ５４６は、ＲＡＭ（Random Access Memory）及び不揮発性メモリにより構成される。このメモリ５４６は、データ変換部５４５により逐次生成されたＸ線画像データをＲＡＭに逐次書き込みをした後に不揮発性メモリに一括書き込みすることができる。不揮発性メモリは、ＥＥＰＲＯＭ、フラッシュメモリ等のメモリ部品２つ以上により構成されており、このメモリ部品の一方を消去している間に他方に書き込みをすることができる。
メモリ５４６の容量は、撮影の効率性の観点から、最大データサイズの画像の保存できる画像数で換算して、４以上（特に１０以上）が好ましい。また、メモリ５４６の容量は、低コスト化の観点から、最大データサイズの画像の保存できる画像数で換算して、１０００以下（特に１００以下）が好ましい。
【００７０】
光検出器５４２の下層には、ガラス基板により形成された平板上の支持体５４７が設けられ、支持体５４７によりシンチレータ５４１及び光検出器５４２の積層構造が支持されている。
【００７１】
支持体５４７の下面に、Ｘ線量センサ５４８が設けられている。Ｘ線量センサ５４８は、光検出器５４２を透過したＸ線量を検出し、Ｘ線量が所定量に達すると、所定Ｘ線量信号をカセッテ制御部５３に送信する。また、本実施形態では、Ｘ線量センサ５４８として、アモルファスシリコン受光素子を用いている。だが、Ｘ線量センサは、これに限られず、結晶シリコンによる受光素子等を用いて直接Ｘ線を検出するＸ線センサや、シンチレータにより蛍光を検出するセンサを用いてもよい。
【００７２】
上述のように、カセッテ５は、内部電源５１からの電力で駆動し、可搬型のケーブルレスであり、カセッテ通信部５２とコンソール通信部１４とが無線通信を介して通信するので、コンソール１との連動性を維持しつつ、操作性が良く、撮影効率を向上させることができる。
【００７３】
次に、本発明の第一の実施形態によるＸ線画像撮影システムによる動作について説明する。
【００７４】
コンソール制御部１３から撮影準備指示信号を受信するまで、走査駆動回路５４３をオフ状態に保つ。オフ状態に保つために、走査線５４２２、信号線５４２３、リセット線５４２６の電位を同電位にし、収集電極５４２１にバイアスを印加しない。また、信号読取回路５４４の電源をオフ状態に保ち、走査線５４２２、信号線５４２３、リセット線５４２６の電位をＧＮＤ電位にしてもよい。
【００７５】
走査駆動回路５４３及び信号読取回路５４４にバイアスが印加されていない状態には、撮影待機モードとスリープモードとがある。
なお、撮影待機モードでは、フォトダイオードへバイアス電位を印加しないだけでなく、走査駆動回路５４３及び信号読取回路５４４は立ち上がりが早いので、走査駆動回路５４３及び信号読取回路５４４にも電力供給をしないことが、電力消費を更に抑えることができ好ましい。更に、撮影待機モードでは、信号が発生しないので、データ変換部５４５にも電力供給しないことが、電力消費を更に抑えることができ好ましい。
また、撮影待機モードよりも更に消費電力の少ないスリープモードを設けることが好ましい。そして、撮影済み画像をコンソール１に完全に送信後、スリープモードに移行することが好ましい。そして、スリープモードでは、コンソール１から指示により撮影待機モードへ立ち上がるのに必要な機能のみ残して、カセッテ通信部５２の高速送信機能又は送信機能全体やメモリへの電力供給を停止することが好ましい。すなわち、スリープモードでは、フォトダイオードへのバイアス電位を印加せず、走査駆動回路５４３、信号読取回路５４４、データ変換部５４５、メモリ５４６、及びカセッテ通信部５２の高速送信機能又は送信機能全体に電力供給しないことが好ましい。これにより、無駄な電力消費をより抑えることができる。
【００７６】
このように、単位時間当たりの消費電力が撮影可能状態より低い撮影待機モードとスリープモード制御下の状態では、走査線５４２２、信号線５４２３、リセット線５４２６の電位を同電位にし、収集電極５４２１にバイアスを印加しない状態、すなわち、複数の画素に電圧が実質的に印加されない状態であるので、ＰＤやＴＦＴに電圧が実質的に印可されることにより劣化、すなわち、複数の画素の劣化を抑えることができる。また、無駄な電力の消費も抑えられる。
【００７７】
そして、例えば、Ｘ線照射スイッチの１ｓｔスイッチがＯＮされたり、操作入力部２を介して、被写体情報や撮影情報等、所定の項目が入力されるなどの入力部１２が撮影のための指示内容を受信したり、また、ＨＩＳ／ＲＩＳ７１からオーダ情報を受信したりすると、コンソール制御部１３は、操作者の指示内容やＨＩＳ／ＲＩＳ７１などからのオーダ情報に基づいて撮影条件を決定し、この撮影条件に基づいた撮影準備指示信号を、Ｘ線源制御部４３及びカセッテ制御部５３にコンソール通信部１４を介して送信し、撮影可能状態に移行させる。
ここで、撮影準備指示は、例えばＸ線照射スイッチの１ｓｔスイッチのように操作者が操作入力部２を介して入力する指示である。また、被写体情報や撮影情報等、所定の項目が入力されたことを、撮影準備指示としてもよい。
【００７８】
Ｘ線源制御部４３は、撮影準備指示信号を受信すると、高圧発生源４１を駆動制御して、Ｘ線管４２に高圧を印加する状態に移行させる。
【００７９】
カセッテ制御部５３は、撮影準備指示信号を受信すると、撮影可能状態に移行する。すなわち、撮影可能状態において撮影指示が入力されるまで全ての画素のリセットを所定間隔で繰り返し、暗電流によりコンデンサ５４２４に電気エネルギーが蓄積されることを防止する。撮影可能状態が継続する時間は不明なため、この所定間隔は、撮影時よりも長く、また、トランジスタ５４２５のオン時間が撮影時よりも短く設定される。これにより撮影可能状態では、トランジスタ５４２５に負荷のかかる読み出し動作が少なくなる。そして、撮影可能状態に移行した後、カセッテ制御部５３は、コンソール１に撮影可能状態移行信号を送信する。コンソール制御部１３は、撮影可能状態移行信号を受信すると、表示部３がカセッテが撮影可能状態に移行した旨のカセッテ撮影可能状態表示をするように表示制御部１１を制御する。
【００８０】
撮影指示がコンソール制御部１３に入力されると、コンソール制御部１３は、操作者の指示内容やＨＩＳ／ＲＩＳ７１などからのオーダ情報に基づいて撮影条件を決定し、この撮影条件に関する撮影条件情報を、Ｘ線源制御部４３及びカセッテ制御部５３にコンソール通信部１４を介して送信する。
【００８１】
コンソール制御部１３は、例えばＸ線照射スイッチの２ｎｄスイッチＯＮなどの操作者からのＸ線照射指示を受けると、撮影指示信号をカセッテ５のカセッテ制御部５３に送信する。そして、コンソール制御部１３にＸ線照射指示が入力された後、コンソール制御部１３は、Ｘ線源４とカセッテ５とを制御し、同期を取りながら撮影をする。
カセッテ制御部５３は、撮影指示信号を受信すると、パネル５４を初期化し、パネル５４が電気エネルギーを蓄積することができる状態に移行する。具体的には、リフレッシュを行い、そして、撮像シーケンスの為の専用の全画素のリセットを所定回数および電気エネルギー蓄積状態専用の全画素のリセットを行って電気エネルギー蓄積状態に遷移する。曝射要求から撮影準備完了までの期間は所定時間が短いことが実使用上要求されるので、そのために撮像シーケンス専用の全画素のリセットを行う。さらに、撮影可能状態の駆動のいかなる状態からも曝射要求が発生した場合は、即時撮像シーケンス駆動に入ることにより曝射要求から撮影準備完了までの期間を短くすることにより、操作性の向上を図る。
パネル５４が電気エネルギーを蓄積できる状態に移行すると、カセッテ制御部５３は、コンソール通信部１４にカセッテ５の準備終了信号を送信する。コンソール通信部１４は、この準備終了信号を受信すると、コンソール制御部１３にカセッテの準備終了信号を伝達する。
コンソール制御部１３は、このカセッテの準備終了信号を受信した状態で、かつ、Ｘ線照射指示を受けた状態になると、Ｘ線照射信号をＸ線源４に送信する。Ｘ線源制御部４３は、Ｘ線照射信号を受信すると、高圧発生源４１を駆動制御してＸ線管４２に高圧を印加し、Ｘ線源４からＸ線を発生させる。Ｘ線源４から発生したＸ線は、Ｘ線照射口に設けられたＸ線絞り装置によりＸ線照射範囲を調整され、被写体を照射する。
また、コンソール制御部１３は、Ｘ線撮影中である旨のＸ線撮影中表示をするように表示制御部１１を制御する。
【００８２】
被写体を透過したＸ線は、カセッテ５に入射する。このカセッテ５に入射したＸ線は、シンチレータ５４１によって可視光に変換される。
【００８３】
カセッテ５を照射したＸ線量は、Ｘ線量センサ５４８により検出される。そのＸ線照射量が所定量に達すると、Ｘ線量センサ５４８が所定Ｘ線量信号をカセッテ制御部５３に送信する。カセッテ制御部５３は所定Ｘ線量信号を受信すると、無線中継器６を介してコンソール通信部１４にＸ線終了信号を送信する。コンソール通信部１４は、このＸ線終了信号を受信すると、コンソール制御部１３にＸ線終了信号を伝達するとともに、Ｘ線源制御部４３にＸ線照射停止信号を送信する。Ｘ線源制御部４３は、このＸ線照射停止信号を受信すると、高圧発生源４１を駆動制御し、高圧発生源４１がＸ線管４２への高圧の印加を停止する。これによりＸ線の発生が停止する。
【００８４】
カセッテ制御部５３は、Ｘ線照射終了信号を送信すると、Ｘ線照射終了信号に基づいて走査駆動回路５４３と信号読取回路５４４とを駆動制御する。走査駆動回路５４３は、光検出器５４２が取得した電気エネルギーを読み出し、取得した電気エネルギーを信号読取回路５４４に入力する。信号読取回路５４４は、入力された電気エネルギーをデジタル信号に変換する。そして、データ変換部５４５は、デジタル信号を画像データに構成する。メモリ５４６は、データ変換部５４５により構成された画像データを一時保存する。
【００８５】
続いてカセッテ制御部５３は、画像データを取得した後に、補正用画像データを取得する。補正用画像データは、Ｘ線照射をしない暗画像データであり、高品質のＸ線画像を取得するためにＸ線画像の補正に使用するものである。補正用画像データの取得方法は、Ｘ線を照射しない点以外は、画像データの取得方法と同じである。電気エネルギー蓄積時間は、画像データを取得するときと補正用画像データを取得するときとで等しくなるように設定する。ここで、電気エネルギー蓄積時間とは、リセット動作が完了したとき、即ちリセット時のトランジスタ５４２５をオフにしてから、次に電気エネルギー読み出しを行うためにトランジスタ５４２５をオンにするまでの時間である。よって、各走査線５４２２により電気エネルギー蓄積が始まるタイミングや電気エネルギー蓄積時間が異なる。
【００８６】
データ変換部５４５は、構成した画像データを、取得した補正用画像データに基づいてオフセット補正し、続いて、予め取得してメモリ５４６に保存されているゲイン補正用データに基づいてゲイン補正する。そして、不感画素や複数の小パネルで構成されたパネルの場合、小パネルのつなぎ目部などに違和感を生じないように画像を連続的に補間して、パネルに由来する補正処理を完了する。本実施形態では、データ変換部５４５は、カセッテ制御部５３と別体であるが、カセッテ制御部５３がデータ変換部５４５を兼ねても良い。
【００８７】
コンソール制御部１３は、メモリ５４６に一時保存された画像データを、カセッテ通信部５２、無線中継器６、コンソール通信部１４を介して画像保存部１６に送信し、画像保存部１６にて一時保存する。無線中継器６とコンソール通信部１４とは通信ケーブルで接続されているので、画像データは無線中継器６からコンソール通信部１４に高速で転送される。
このように、カセッテ５は内部電源５１から電力の供給を受けて機能するメモリ５４６を備え、パネル５４により得られ、カセッテ通信部５２により送信されるＸ線画像データを一時的に保存するので、パネル５４からのデータ生成と、カセッテとコンソールとの通信との間のアキュームレータとして機能し、Ｘ線画像データを、カセッテとコンソールとの通信状態に応じて、カセッテからコンソールに転送することができる。特に、メモリがＲＡＭであるので、パネル５４からのデータ生成速度が高くても良好にデータ保存できる。
【００８８】
コンソール制御部１３は、Ｘ線画像データを受信すると、画像保存部１６に一時保存する。そして、コンソール制御部１３は、画像処理部１５が画像保存部１６に一時保存したＸ線画像データからサムネイル画像データを作成するように制御する。表示制御部１１は、作成されたサムネイル画像データに基づいて、表示部３がサムネイル画像を表示するように制御する。
その後、画像処理部１５は、画像データを操作者の指示内容やＨＩＳ／ＲＩＳ７１などからのオーダ情報に基づいて画像処理する。この画像処理された画像データは、表示部３に画像表示されると同時に画像保存部１６に送信され、画像データとして保存される。さらに、操作者の指示に基づいて、画像処理部１５は画像データを再画像処理し、画像データの画像処理結果は表示部３が表示する。また、ネットワーク通信部１８は、画像データをネットワーク上の外部装置であるイメージャ７２、画像処理端末７３、ビューワ７４、ファイルサーバ７５等に転送する。コンソール１から画像データが転送されると転送された外部装置は対応して機能する。すなわち、イメージャ７２は、このＸ線画像データをフィルムなどの画像記録媒体に記録する。画像処理端末７３は、このＸ線画像データの画像処理やＣＡＤ（Computer Aided Diagnosis：コンピュータ診断支援）のための処理をし、ファイルサーバ７５に保存する。ビューワ７４は、このＸ線画像データに基づいてＸ線画像を表示する。ファイルサーバ７５は、このＸ線画像データを保存する。
【００８９】
次に、本発明の第一の実施形態によるコンソール電源を停止するときの動作について説明する。なお、コンソール制御部１３とカセッテ制御部５３との送信および受信は、実際にはカセッテ通信部５２、無線中継器６、コンソール通信部１４を介して行われるが、以下、コンソール制御部１３とカセッテ制御部５３との送信および受信と呼び、カセッテ通信部５２、無線中継器６、コンソール通信部１４を介する記載は省略する。
【００９０】
図５に、コンソール電源を停止するときのコンソール制御部１３のフローチャートを示す。
【００９１】
図５に示すように、コンソール制御部１３は、操作入力部２からの指示入力に応じて入力部１２からコンソール電源部１７のオフ信号を受信したり、電源スイッチのオフを検出したりすると（ステップＳ１０）、コンソール電源オフ信号をカセッテ制御部５３に送信する（ステップＳ１１）。そして、カセッテ制御部５３からの未送信画像情報を受信したか否かを検出する（ステップＳ１２）。
【００９２】
コンソール制御部１３がカセッテ制御部５３から未送信画像情報を受信した場合（ステップＳ１２：Ｙｅｓ）、この未送信画像情報に基づき、カセッテ５のメモリ５４６に未送信のＸ線画像データの有無を判断する（ステップＳ１３）。もし、カセッテ５のメモリ５４６に未送信のＸ線画像データが有ると判断した場合（ステップＳ１３：Ｙｅｓ）、未送信のＸ線画像データを受信する画像受信状態に遷移する。そして、画像受信状態でＸ線画像データを受信したら（ステップＳ１４）、受信したＸ線画像データを画像保存部１６に保存し、前述の判断に戻る（ステップＳ１３に戻る）。また、もし、カセッテ５のメモリ５４６に未送信のＸ線画像データが無いと判断した場合（ステップＳ１３：Ｎｏ）、コンソール電源部１７からの電力の供給を停止する（ステップＳ１５）。
一方、コンソール制御部１３がカセッテ制御部５３から未送信画像情報の受信を検出しないときは（ステップＳ１２：Ｎｏ）、ステップＳ１１におけるコンソール電源オフ信号の送信から所定時間を経過したか否かを判断する（ステップＳ１６）。コンソール電源オフ信号の送信から所定時間を経過していないときは（ステップＳ１６：Ｎｏ）、未送信画像情報を受信したか否かの検出に戻る（ステップＳ１２にリターンする）。コンソール電源オフ信号の送信から所定時間を経過したときは（ステップＳ１６：Ｙｅｓ）、コンソール制御部１３は表示部３がカセッテ異常を示す表示をするように表示制御部１１を制御する（ステップＳ１７）。
【００９３】
図６に、コンソール電源を停止するときのカセッテ制御部５３のフローチャートを示す。
カセッテ制御部５３は、コンソール制御部１３からコンソール電源オフ信号を受信すると（ステップＳ３０）、メモリ５４６に未送信のＸ線画像データが存在するか否かを検出し、未送信のＸ線画像データの有無と件数に関する未送信画像情報をコンソール１に送信する（ステップＳ３１）。そして、未送信のＸ線画像データが存在するか否かを検出し（ステップＳ３２）、未送信のＸ線画像データが存在したときは（ステップＳ３２：Ｙｅｓ）、カセッテ制御部５３は、その未送信のＸ線画像データをコンソール１に送信し（ステップＳ３３）、ステップＳ３２にリターンする。未送信のＸ線画像データが存在しないときは（ステップＳ３２：Ｎｏ）、カセッテ制御部５３はカセッテ５を制御してスリープモードに移行させる（ステップＳ３４）。
【００９４】
以上のように、第一の実施形態におけるＸ線画像撮影システム１０００は、コンソール電源部１７が電力の供給を停止する前に、コンソール１に未送信の画像データがカセッテに５存在しているか否かを判断することができるので、コンソール１に未送信の画像がコンソール電源部１７の停止している間に消滅したりすることを防ぐことができ、撮影効率を向上させることができる。
【００９５】
なお、本実施形態では、パネル５４が４０９６×３０７２画素を持つ１枚のパネルで構成された例を示したが、これに限定されず、例えば、パネル５４が２０４８×１５３６画素を持つ４枚の小パネルで構成されたものを用いることもできる。このように複数枚の小パネルからパネルを構成した場合、４つの小パネルを組みあわせて１枚のパネルとする手間が発生するが、各パネルの歩留まりが向上するので、全体としても歩留まりが向上し低コスト化するという利点がある。
【００９６】
さらに、本実施形態では、シンチレータ５４１と光検出器５４２とを用いて照射されたＸ線の電気エネルギーを読み出す例を示したが、これに限定されず、Ｘ線を電気エネルギーに直接変換できる光検出器を適用することが可能である。例えば、アモルファスＳｅやＰｂＩ２等を用いたＸ線電気エネルギー変換部とアモルファスシリコンＴＦＴ等とにより構成されたＸ線検出器を用いるようにしてもよい。
【００９７】
また、本実施形態では、信号読取回路５４４に１つのＡ／Ｄ変換器５４４２が設けられた例を示したが、これに限定されず、複数のＡ／Ｄ変換器を適用することが可能である。  そして、Ａ／Ｄ変換器の数は、画像読取時間を短くして所望のＳ／Ｎ比を得るために、４以上、特に８以上であることが好ましい。
また、Ａ／Ｄ変換器の数は、低コスト化・小型化のために、６４以下、特に３２以下であることが好ましい。これにより、アナログ信号帯域及びＡ／Ｄ変換レートを不必要に大きくすることがない。
【００９８】
また、本実施形態では、ガラスにより形成された支持体５４７の例を示したが、これに限定されず、樹脂や金属等によって形成された支持体を適用することが可能である。
【００９９】
また、本実施形態では、カセッテ５とコンソール１とが１対１で対応させている例を示したが、これに限定されず、カセッテとコンソールとが１対Ｍ、Ｎ対１、Ｎ対Ｍ（Ｎ，Ｍは２以上の自然数）で対応させて用いることが可能である。このときには、カセッテとコンソール間のネットワークを設け、カセッテとコンソールとの対応関係を対応関係情報保持部に保存し、対応関係情報保持部をネットワーク上またはコンソール内に設け、コンソールがカセッテを制御することが好ましい。
【０１００】
また、本実施形態では、コンソール１及びカセッテ５のいずれにおいても、前述した実施例の機能を実現するソフトウェアのプログラムを記録した記憶媒体をシステム或いは装置に供給し、そのシステム或いは装置のコンピュータ（またはＣＰＵやＭＰＵ）が記憶媒体に格納されたプログラムを読み出し実行することによっても、達成されることは言うまでもない。また、プログラム等を記憶させる記憶媒体としては、不揮発性メモリ、電源バックアップされた揮発性メモリ、ＲＯＭメモリ、光ディスク、ハードディスクなどの磁気ディスク、光磁気ディスク等の記憶媒体に記憶させるようにしてもよい。
また、コンピュータが読み出したプログラムを実行することにより、前述した実施形態の機能が実現されるだけでなく、そのプログラムの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
さらに、記憶媒体から読み出されたプログラムが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
更に、このようなプログラムは、ネットワークや回線などを介して外部から提供されたものであってもよい。そして、外部から供給されるプログラムを使用する場合も、不揮発性メモリ、電源バックアップされた揮発性メモリ、光ディスク、ハードディスクなどの磁気ディスク、光磁気ディスク等の記憶媒体に記憶されるようにしてもよい。
【０１０１】
［第二の実施形態］
続いて、図７を参照しながらＸ線画像撮影システムの第二の実施形態について説明する。
ただし、第二の実施形態では、上記第一の実施形態において操作入力部の構成が異なる（図７参照）。操作入力部は、Ｘ線照射スイッチと、Ｘ線源指示内容入力部と、コンソール指示内容入力部とにより構成され、Ｘ線照射スイッチとＸ線源指示内容入力部はＸ線源制御部と接続し、コンソール指示内容入力部はコンソールの入力部と接続している。また、コンソール通信部は、第一の実施形態と異なり、無線中継器と接続しているが、Ｘ線源制御部と接続していない。これ以外の構成は、上記第一の実施形態と同様である。
第二の実施形態では、操作入力部とＸ線源制御部とを中心とした説明を行い、上記第一の実施形態と同一の点は上記と同様の符号を付して、その詳細な説明を省略する。
【０１０２】
図７に、第二の実施形態に係るＸ線画像撮影システム１０００の概略構成を示す。
図７に示すように、操作入力部２には、操作者により撮影準備指示や撮影指示を入力するＸ線照射スイッチ２１と、操作者により指示内容をＸ線源制御部に入力するＸ線源指示内容入力部２２と、操作者により指示内容をコンソールに入力するコンソール指示内容入力部２３とが設けられている。ここで、指示内容には、Ｘ線管電圧やＸ線管電流、Ｘ線照射時間等のＸ線撮影条件、撮影タイミング、撮影部位、撮影方法等のＸ線撮影制御条件、画像処理条件、画像出力条件、カセッテ選択情報、オーダ選択情報、被写体ＩＤ等がある。
【０１０３】
Ｘ線照射スイッチ２１には、Ｘ線源制御部４３及び入力部１２がそれぞれ接続している。Ｘ線照射スイッチ２１には、撮影準備指示を入力する第一スイッチと、撮影指示を入力する第二スイッチがあり、Ｘ線照射スイッチ２１による指示がＸ線源制御部４３及び入力部１２に入力される。第一スイッチから入力後、第二スイッチから入力できる構造になっている。
Ｘ線源指示内容入力部２２には、Ｘ線源制御部４３が接続している。Ｘ線源制御部４３は、Ｘ線源指示内容入力部２２より入力された指示内容に基づき、高圧発生源４１及びＸ線管４２を駆動制御する。
コンソール指示内容入力部２３には、入力部１２が接続している。入力部１２に入力された指示内容は、コンソール制御部１３に送信される。コンソール制御部１３は、受信した指示内容に基づき、コンソール１及びカセッテ５を駆動制御する。
【０１０４】
次に、本発明の第二の実施形態によるＸ線画像撮影システムによる動作について説明する。
【０１０５】
操作者は、Ｘ線照射スイッチ２１の第一スイッチを押下して、撮影準備指示を入力する。Ｘ線源制御部４３は、第一スイッチによる撮影準備指示に基づき、高圧発生源４１を駆動制御してＸ線管４２に高圧を印加する状態に移行させる。入力部１２に入力された第一スイッチによる撮影準備指示に基づき、コンソール制御部１３は、コンソール通信部１４及び無線中継器６を介してカセッテ５に撮影準備指示を送信する。カセッテ制御部５３は、受信した撮影準備指示に基づき、撮影指示が入力されるまでリセットを所定間隔で繰り返し、暗電流によりコンデンサ５４２４に電気エネルギーが蓄積されることを防止する。
【０１０６】
操作者は、Ｘ線照射スイッチ２１の第二スイッチを押下して、撮影指示を入力する。Ｘ線源制御部４３は、第二スイッチによる撮影指示に基づき、高圧発生源４１を駆動制御してＸ線管４２に高圧を印加し、放射線を発生させる。
入力部１２に入力された第一スイッチによる撮影準備指示に基づき、コンソール制御部１３は、カセッテ５を駆動制御し、Ｘ線源４から照射される放射線による撮影をする。
【０１０７】
Ｘ線源４から照射されるＸ線は、被写体を透過し、カセッテ５に入射する。このカセッテ５に入射したＸ線に基づき、画像データが取得され、無線中継器６とコンソール通信部１４を介してコンソール１に送信される。
【０１０８】
以上のように、第二の実施形態におけるＸ線画像撮影システム１０００は、コンソール電源部１７が電力の供給を停止する前に、コンソール１に未送信の画像データがカセッテに５存在しているか否かを判断することができるので、コンソール１に未送信の画像がコンソール電源部１７の停止している間に消滅したりすることを防ぐことができ、撮影効率を向上させることができる。
【図面の簡単な説明】
【０１０９】
【図１】本発明によるＸ線画像撮影システムの第一の実施形態の概略構成を示す図である。
【図２】本発明によるカセッテの一実施形態の概略構成を示す斜視図である。
【図３】本発明によるパネルを中心としたカセッテの一実施形態の断面図である。
【図４】本発明による光検出器を中心とした回路の一実施形態の構成を示す回路図である。
【図５】本発明によるコンソール電源を停止するときのコンソール制御部のフローチャートである。
【図６】本発明によるコンソール電源を停止するときのカセッテ制御部のフローチャートである。
【図７】本発明によるＸ線画像撮影システムの第二の実施形態の概略構成を示す図である。
【符号の説明】
【０１１０】
１０００  Ｘ線画像撮影システム       
１       コンソール    
１３     コンソール制御部     
１４     コンソール通信部     
１７     コンソール電源部     
１８     ネットワーク通信部   
５       カセッテ  
５１     内部電源  
５２     カセッテ通信部  
５３     カセッテ制御部  
５４６   メモリ        
６       無線中継器
【図１】
2006263320.tif 000003
【図２】
2006263320.tif 000004
【図３】
2006263320.tif 000005
【図４】
2006263320.tif 000006
【図５】
2006263320.tif 000007
【図６】
2006263320.tif 000008
【図７】
2006263320.tif 000009